(57)【要約】   本発明は安全ベストに関するもので、詳しくは、安全ベストに発光体のＬＥＤを取り付けるが、薄膜投光部と厚膜投光部を備えた投光部を被せて外部の衝撃からＬＥＤを保護しながらも遠距離／近距離及び正面／側面からの視認性を向上させて他の人から容易に認識され、浮力発生手段を備えて作業者の作業能力を低下させず、水中で救命ベストの役割を果たすことができる安全ベストに関する。【選択図】 図１
2012524174.tif 000002
【特許請求の範囲】
【請求項１】
人の腰を囲うベルトと、前記ベルトに連結されて人の肩にかかる肩部とで構成された安全ベストにおいて、前記安全ベストは、表面に取り付けられた複数のＬＥＤアセンブリと、前記ＬＥＤアセンブリに電源を供給するためのバッテリと、前記バッテリの電源を断続するスイッチと、を含み、前記ＬＥＤアセンブリは、少なくともひとつ以上のＬＥＤと、前記ＬＥＤの発光部分を囲んで外部の衝撃から前記ＬＥＤを保護し、前記ＬＥＤの光を外部に透過させるが、前記ＬＥＤの直ぐ前での眩しい現象を緩和させ、遠距離での視認性を高めるための投光部の厚さが薄い少なくともひとつ以上の薄膜投光部と、前記ＬＥＤの光を広く分散させてＬＥＤの側面にも光を発光させるための投光部の厚さが前記薄膜投光部より厚い少なくともひとつ以上の厚膜投光部とを含む投光部と、前記ＬＥＤの底面に位置する固定部と、を含むことを特徴とする安全ベスト。
【請求項２】
前記安全ベストには、少なくともひとつ以上の内部が密閉された密閉部があり、前記密閉部には空気を入れたり抜いたりできる空気注入弁が備えられていることを特徴とする請求項１に記載の安全ベスト。
【請求項３】
前記安全ベストには、少なくともひとつ以上の収納部があり、前記収納部には空気袋が挿入或いは分離できる出入口があり、前記出入口には開閉手段が取り付けられていることを特徴とする請求項１に記載の安全ベスト。
【請求項４】
前記密閉部或いは収納部は、前記ベルト或いは前記肩部において人の胸と背中が接する部分にのみ形成されていることを特徴とする請求項２または３に記載の安全ベスト。
【請求項５】
前記収納部或いは前記密閉部の厚さ方向の中間には、折り線が形成されていることを特徴とする請求項２または３に記載の安全ベスト。
【請求項６】
前記収納部或いは前記密閉部の厚さ方向の中間には折り線が形成され、前記折り線を基準にして折り線の前部分と後ろ部分には、前記収納部或いは密閉部の空気が無い場合に、前記折り線の前部分と後ろ部分を折り線を中心にして密着させるための取り付け手段が形成されていることを特徴とする請求項５に記載の安全ベスト。
【請求項７】
前記ＬＥＤは、高輝度ＬＥＤであることを特徴とする請求項１に記載の安全ベスト。
【請求項８】
前記ＬＥＤアセンブリ、バッテリ及びスイッチは、防水機能を有していることを特徴とする請求項１に記載の安全ベスト。
【請求項９】
前記ＬＥＤアセンブリは、ベースをさらに含み、前記ベースは、前記固定部を内部に収容し、周りが形成された敷き部と、前記敷き部から上部に連結されてＬＥＤを囲う側壁と、内部に電線を収容して、前記電線は、前記固定部に形成されたＬＥＤの陽極と陰極を貫通する連結ねじによってＬＥＤと連結されるよう前記敷き部に水平に貫通して形成された電線連結溝と、を含むことを特徴とする請求項１に記載の安全ベスト。
【請求項１０】
前記ＬＥＤアセンブリは、ベースをさらに含み、前記ベースは、下部にＬＥＤが挿入できる下部開放口が形成された敷き部と、前記敷き部から上部に連結されてＬＥＤを囲う側壁と、を含むことを特徴とする
請求項１に記載の安全ベスト。
【請求項１１】
前記投光部には、直径が相対的に短い凹部が形成されていることを特徴とする請求項１に記載の安全ベスト。
【請求項１２】
前記固定部の下部には、少なくともひとつ以上の固定ピンが取り付けられていることを特徴とする請求項１に記載の安全ベスト。
【請求項１３】
前記ＬＥＤの外部には、前記ＬＥＤを囲んだ光拡散キャップが形成され、前記光拡散キャップは、下部が前記固定部に結合され、固定部の下部からＬＥＤの側面に沿って薄い壁を形成しＬＥＤの上部に上がり、ＬＥＤの上部には、凸、凹或いは平らな形態の光拡散用レンズが形成されている形状であることを特徴とする請求項１に記載の安全ベスト。
【請求項１４】
前記投光部の上部には、ポリカーボネート層がさらに取り付けられていることを特徴とする請求項１に記載の安全ベスト。
【請求項１５】
前記ＬＥＤの上部と対称する前記投光部の内部には、拡散層がさらに取り付けられていることを特徴とする請求項１に記載の安全ベスト。
【請求項１６】
前記ＬＥＤと接する前記投光部の側面には、少なくともひとつ以上の空気排出溝或いはエンボスが形成されていることを特徴とする請求項１に記載の安全ベスト。
【請求項１７】
前記固定部は、コネクターの形態を有していることを特徴とする請求項１に記載の安全ベスト。
【請求項１８】
前記安全ベストには、遭難信号送信機が取り付けられていることを特徴とする請求項１に記載の安全ベスト。
【発明の詳細な説明】
【技術分野】
【０００１】
本発明は安全ベストに関するもので、詳しくは、安全ベストに発光体のＬＥＤを取り付けるが、薄膜投光部と厚膜投光部を備えた投光部を被せて外部の衝撃からＬＥＤを保護しながらも遠距離／近距離及び正面／側面からの視認性を向上させて他の人から容易に認識され、浮力発生手段を備えて作業者の作業能力を低下させず、水中で救命ベストの役割を果たすことができる安全ベストに関する。
【背景技術】
【０００２】
現代は、国家間の交易量が増加するにつれ波止場からの物動量が増加し、このような多い物動量を処理するため、或いは決められた出荷日を合わせるために、波止場での作業は夜間にも行われる場合が多い。このような波止場での作業、特に夜間作業の時には作業者の位置を他の人に知らせて予期せぬ事故を防ぐために安全ベストを着用して作業を行う。
【０００３】
従来の安全ベストは、ベルトと肩部とで構成され、ベルトと肩部の外側面には夜光塗料が塗布されたり、夜光テープが取り付けられたりして、外部の光によって夜光部分が光って作業者の存在を認識することができた。
【０００４】
しかし、このような従来の安全ベストは、外部からの光があって発光する形態であるため、外部からの光が遮断された場所では発光できないという問題があった。特に、雪や雨の日或いは霧が濃い日、または外部からの光が弱い場合には、安全ベストの発光が弱いため外部から作業者の存在を認識し難いという問題があった。このような問題点は、波止場の作業者だけでなく道路上の交通警察官、船上の作業者、清掃員のように、危ない所で働く人であれば誰でも直面している問題である。
【０００５】
また、波止場の作業者或いは船上の作業者の場合には、その作業環境が海ということで、作業の際に瞬間の不注意によって海に落ちることが生じ得る。この場合に、特に夜間には、外部の光が殆ど無い海で、水に溺れた作業者の位置を把握することは容易ではなく、従って救助までは相当な時間がかかる場合があるため、救命ベストを着用して作業することが好ましい。しかし、波止場の作業者或いは船上の作業者のような作業者は、決められた作業を行わなければならず、救命ベストを着用すると実際の作業に非常に不便である。従って、作業者が作業を円滑に行うことができ、このような作業者の作業能率を低下させない範囲内で救命ベストの役割も果たすことのできる安全ベストが求められるようになった。
【０００６】
特に、海上に浮いている船で作業する作業者の場合には、船の遭難時に救助船が到着するまで生き残るためには水面上に浮いていなければならず、さらに救助船から容易に遭難者の位置を把握する必要があるが、従来の安全ベストは、このような機能を行うには物足りない部分があった。
【発明の開示】
【発明が解決しようとする課題】
【０００７】
本発明は、上記の問題点を解決すべく発明されたもので、本発明は、安全ベストに発光体のＬＥＤを取り付けるが、薄膜投光部と厚膜投光部を備えた投光部を被せて外部の衝撃からＬＥＤを保護しながらも遠距離／近距離及び正面／側面からの視認性を向上させて他人から容易に認識されるようにし、浮力発生手段を備えて作業者の作業能力を低下させないながらも、水中で救命ベストの役割を行うことができる安全ベストを提供することに目的がある。
【課題を解決するための手段】
【０００８】
本発明による安全ベストは、一定な間隔で取り付けられた複数のＬＥＤアセンブリと、上記ＬＥＤアセンブリに電源を供給するためのバッテリと、上記バッテリの電源を断続するスイッチと、を含み、上記ＬＥＤアセンブリは、少なくともひとつ以上のＬＥＤと、上記ＬＥＤの発光部分を囲んで外部の衝撃から上記ＬＥＤを保護し、上記ＬＥＤの光を外部に透過させるが、上記ＬＥＤの直ぐ前での眩しい現象を緩和させ、遠距離での視認性を高めるための投光部の厚さが薄い少なくともひとつ以上の薄膜投光部と、上記ＬＥＤの光を広く分散させてＬＥＤの側面にも光を発光させるための投光部の厚さが上記薄膜投光部より厚い少なくともひとつ以上の厚膜投光部とを含む投光部と、上記ＬＥＤの底面に位置する固定部と、を含むことを特徴とする。
【０００９】
本発明の他の好ましい特徴によると、安全ベストには少なくともひとつ以上の内部が密閉された密閉部があり、上記密閉部には空気を入れたり抜いたりできる空気注入弁が備えられている。
【００１０】
本発明の他の好ましい特徴によると、安全ベストには少なくともひとつ以上の収納部があり、上記収納部には空気袋が挿入或いは分離できる出入口があり、上記出入口には開閉手段が取り付けられている。
【００１１】
本発明の他の好ましい特徴によると、密閉部或いは収納部は、上記ベルト或いは上記肩部において人の胸と背中が接する部分にのみ形成されている。
【００１２】
本発明の他の好ましい特徴によると、収納部或いは密閉部の厚さ方向の中間には 折り線が形成されている。
【００１３】
本発明の他の好ましい特徴によると、収納部或いは密閉部の厚さ方向の中間には 折り線が形成され、上記折り線を基準にして折り線の前部分と後ろ部分には、上記収納部或いは密閉部に空気が無い場合に、上記折り線の前部分と後ろ部分を折り線を中心にして密着させるための取り付け手段が形成されている。
【００１４】
本発明の他の好ましい特徴によると、ＬＥＤは高輝度ＬＥＤである。
【００１５】
本発明の他の好ましい特徴によると、上記ＬＥＤアセンブリ、バッテリ及びスイッチは防水機能を有する。
【００１６】
本発明の他の好ましい特徴によると、ＬＥＤアセンブリは、ベースをさらに含み、上記ベースは、上記固定部を内部に収容し、周りが形成された敷き部と、上記敷き部から上部に連結されてＬＥＤを囲う側壁と、内部に電線を収容して、上記電線は上記固定部に形成されたＬＥＤの陽極と陰極を貫通する連結ねじによってＬＥＤと
連結されるよう上記敷き部に水平に貫通して形成された電線連結溝と、を含む。
【００１７】
本発明の他の好ましい特徴によると、ＬＥＤアセンブリは、ベースをさらに含み、上記ベースは、下部にＬＥＤが挿入できる下部開放口が形成された敷き部と、上記敷き部から上部に連結されてＬＥＤを囲う側壁と、を含む。
【００１８】
本発明の他の好ましい特徴によると、投光部には、直径が相対的に短い凹部が形成されている。
【００１９】
本発明の他の好ましい特徴によると、固定部の下部には少なくともひとつ以上の固定ピンが取り付けられている。
【００２０】
本発明の他の好ましい特徴によると、ＬＥＤの外部には上記ＬＥＤを囲んだ光拡散キャップが形成され、上記光拡散キャップは、下部が上記固定部に結合され、固定部の下部からＬＥＤの側面に沿って薄い壁を形成しＬＥＤの上部に上がり、ＬＥＤの上部には凸、凹或いは平らな形態の光拡散用レンズが形成されている。
【００２１】
本発明の他の好ましい特徴によると、投光部の上部には、ポリカーボネート層がさらに取り付けられている。
【００２２】
本発明の他の好ましい特徴によると、ＬＥＤの上部と対称する上記投光部の内部には拡散層がさらに取り付けられている。
【００２３】
本発明の他の好ましい特徴によると、ＬＥＤと接する上記投光部の側面には、少なくともひとつ以上の空気排出溝或いはエンボスが形成されている。
【００２４】
本発明の他の好ましい特徴によると、固定部は、コネクターの形態を有している。
【００２５】
本発明の他の好ましい特徴によると、安全ベストには遭難信号送信機が取り付けられている。
【発明の効果】
【００２６】
本発明による安全ベストは、ＬＥＤに投光部が被せられているため、外部の衝撃に耐えることができ、ＬＥＤ部分が破損することを防ぐことができる。
【００２７】
また、本発明による安全ベストは、特殊に設計された投光部を採択したＬＥＤアセンブリを使うことで、遠距離／近距離及び正面／側面からも容易に認識することができるため、作業時及び非常時に他の人が安全ベスト着用者を容易に認識して、不意の事故を防ぐことができ、また事故発生時には安全ベストを着用した事故者の位置を容易に把握することができる。
【００２８】
さらに、ＬＥＤから放射される光は正面に直進し、これによって正面にいる隣接した作業者の視野を妨げることがあり、ＬＥＤのみ取り付けると隣接した作業者の視野を妨害するが、本発明によるＬＥＤアセンブリは、光が投光部を通過するためＬＥＤの強烈な光によって隣接した他の作業者の視野が瞬間的に妨害されることを防ぐことができる。また、投光部は、作業時にＬＥＤの破損を防ぐ役割も果たす。
【００２９】
さらに本発明による安全ベストは、浮力発生手段を備えているため、作業者が水に溺れた場合にも水中で長時間生きることができ、浮力発生手段が腰、胸及び背中部分に形成されているため、作業者の着用感が良く作業時に着用者の動きを大きく制限しない。
【００３０】
また、浮力発生手段を着脱することができるため、水に溺れる恐れの無い地域で作業する時には浮力発生手段を除去して着用することができ、作業者の着用感と作業効率を使用場所によって極大化させることができる。
【００３１】
また、本発明において使われるＬＥＤアセンブリは、前面及び側面に光が照射される範囲が広くなっており、少ない数のＬＥＤアセンブリを使って従来のＬＥＤ発光体と同じ効果を得ることができる。従って、本発明において使われるＬＥＤアセンブリは、同じ範囲を照らしても従来のＬＥＤに比べて少ない数のＬＥＤを使用することで消耗電力が相対的に少ないため、バッテリを使用する場合にも長時間にわたってバッテリを使用することができ、また環境には優しいが効率は低い太陽光電気を使用するにも適しているという長所がある。
【図面の簡単な説明】
【００３２】
【図１】本発明による安全ベストの概略図である。
【図２】本発明に使われたＬＥＤアセンブリの断面図である。
【図３】ベースを備えたＬＥＤアセンブリの断面図である。
【図４】投光部が除外された状態でのＬＥＤアセンブリの平面図である。
【図５】他の実施例としてのベースの断面図である。
【図６】固定ピンが取り付けられたＬＥＤアセンブリの断面図である。
【図７】凹部が形成されたＬＥＤアセンブリの断面図である。
【図８】ＬＥＤと投光部が分離された場合の結合を示した図面である。
【図９】支持台がさらに設けられたＬＥＤアセンブリの断面図である。
【図１０】光拡散キャップがさらに形成されたＬＥＤアセンブリの概略図である。
【図１１】ポリカーボネート層が取り付けられたＬＥＤアセンブリの断面図である。
【図１２】拡散層が取り付けられたＬＥＤアセンブリの断面図である。
【図１３】コネクターの形態を有する固定部の断面図である。
【図１４】二つの空気排出溝が形成されたＬＥＤアセンブリの断面図である。
【図１５】図１３のＡＡ部分の断面図である。
【図１６】エンボスが形成されたＬＥＤアセンブリの断面図である。
【図１７】密閉部が形成されている安全ベストの概略図である。
【図１８】密閉部の他の一実施例を図示した図面であって、図１７のＡ部分の拡大図である。
【図１９】本発明の他の実施例であって、収納部が形成された肩部を備えた安全ベストの概略図である。
【図２０】遭難信号送出装置が取り付けられた安全ベストの概略図である。
【図２１】本発明による安全ベストを着用した人が水に溺れた状態を図示した概略図である。
【発明を実施するための形態】
【００３３】
本発明による安全ベストは、従来の安全ベストに、特殊に設計されたＬＥＤアセンブリを取り付けることで、軽くて容易に破損しないながらも、視認性を向上させて不意の事故を防ぐことができ、さらに作業者の作業効率を低下させない範囲内で浮力発生手段を備えているため、事故のときに作業者の生存可能時間を極大化させ、容易に救助されるようにしたことを特徴とする。
【実施例】
【００３４】
以下に例示図をもとに本発明の一実施例に関する構成及び作用を詳しく説明する。但し、以下の実施例は、本発明が属した技術分野において通常の知識を有する者が本発明を十分理解するようにするために提供されるもので、本発明の範囲がこれによって限定されるのではない。
【００３５】
図１は、本発明による発光信号を備えた安全ベストの概略図である。図１のように、本発明による安全ベスト２００は、ベルト２１０、肩部２１５、ＬＥＤアセンブリ１００、バッテリ６００、スイッチ７００を含む。
【００３６】
ベルト２１０と肩部２１５は、通常の安全ベストに使われるものであれば良い。ベルト２１０は人の腰を囲うことができ、バックルのような結合手段と長さ調整手段を備えることができる。肩部２１５は、ベルト２１０に連結されて安全ベストが滑り落ちることを防ぐもので、長さ調整手段を備えることができる。
【００３７】
図１のように、本発明による安全ベスト２００には、複数のＬＥＤアセンブリ１００が一定な間隔で取り付けられている。図２は、本発明に使われたＬＥＤアセンブリの断面図である。図２のように、本発明によるＬＥＤアセンブリ１００は、ＬＥＤ１、投光部１０、固定部３０を含む。以下、各部分について説明する。
【００３８】
本発明において使われるＬＥＤは、その形態に特に制限は無い。例えば、ＬＥＤ発光部分が図１のように長い場合だけでなく、ＬＥＤ発光部分が短い場合も含む。ここで、ＬＥＤ発光部分が短い場合には、図１に比べてＬＥＤの側面の明るさがより強調されることができる。さらに、ＬＥＤ発光部分が短い場合には、投光部の形状がＬＥＤ発光部の形状に応じて変わることもできる。他にも発光部分が短いが広い形態のＬＥＤ及び丸い形態のＬＥＤも本発明に適用できることは当然である。本発明に使われるＬＥＤは、視認性を向上させるために高輝度ＬＥＤを使用することが好ましい。
【００３９】
本発明に使われるＬＥＤは、少なくともひとつ以上設けられる。ここで、ＬＥＤの数には特に制限は無い。複数のＬＥＤが設けられる場合には、互いに異なる色のＬＥＤが設けられることができ、さらにそれぞれのＬＥＤが設けられる角度を変えて設けることもできる。これは、ＬＥＤから放出される光の直進性を考えて様々な角度からの視認性を向上させるためである。
【００４０】
投光部１０は、ＬＥＤ１の発光部分を囲んでＬＥＤ１の光を外部へ透過させ、底面は平らな形態を成す。投光部１０は、光が乱射することを防ぎ、照射範囲を形状の大きさに指定して光の集中度を高め、その形状によって様々な表現ができ、一つのＬＥＤアセンブリに複数の色、形及び明るさが表現できるようにする。また、投光部１０は、ＬＥＤ１の発光部分を囲んでいるため、ＬＥＤ１に与えられる外部の衝撃からＬＥＤ１を保護する役割をする。ＬＥＤ１から放出された光は、投光部１０を経て外部へ放出されるが、投光部１０を通りながら光は反射、回折などをする。本発明における投光部１０の形状については特に制限は無いが、視認性をさらに向上させるために、少なくともひとつ以上の薄膜投光部１２と少なくともひとつ以上の厚膜投光部１４とを含むことが好ましい。
【００４１】
薄膜投光部１２は、ＬＥＤ１の光を遠距離まで届けるが、近距離、特にＬＥＤの直ぐ前での眩しい現象を緩和させるために投光部の厚みが薄い部分であり、厚膜投光部１４は、ＬＥＤ１の光を広く分散させてＬＥＤ１の側面からもＬＥＤ１の光を容易に認識して形状を強調するために投光部の厚みが上記薄膜投光部１２より厚い部分である。薄膜投光部１２ではＬＥＤ１の光が通過する媒質の厚みが薄いため、光はエネルギーの損失無く殆ど通過するようになり、従って、比較的に遠距離にいる人も薄膜投光部１２から放出される光を認識することができる。しかし、薄膜投光部１２にも薄い膜が存在するため、これによってＬＥＤの正面の直ぐ前での眩しい現象が緩和される。
【００４２】
薄膜投光部１２の厚みは、設置されているＬＥＤの輝度によって変わる。通常のＬＥＤの場合には、厚みが０．１〜１０ｍｍであることが好ましい。０．１ｍｍ未満であると直ぐ前での眩しい現象があり、１０ｍｍを超えるとＬＥＤ光が薄膜投光部によって妨害され遠くまで届き難くなる。
【００４３】
薄膜投光部１２は、光を遠距離まで届けることを可能にしながらも、ＬＥＤの直ぐ前での眩しい現象を緩和させて全体的に視認性を向上させる。
【００４４】
このような薄膜投光部１２は、投光部１０の内部に孔を開けて薄膜投光部を周りより薄くしたり、投光部の外部の表面のうち光が強く発散する必要のある部分を周りより薄く成形する方法で形成することができる。
【００４５】
図２では、薄膜投光部１２を側面から見たとき平らな形態を図示したが、必要によっては光が拡散できる膨らんだ形態または光が集まることができる凹んだ形態を有することもできる。
【００４６】
厚膜投光部１４は、投光部の厚みが薄膜投光部１２より厚い部分であって、媒質が厚いため媒質を通過する光の一部は、内部で反射して厚膜投光部１４の全体にわたって光が分散して外部へ放出されるようになる。従って、厚膜投光部１４から放出される光は、薄膜投光部１２から放出される光に比べると暗いが、全体的に分散してＬＥＤ１の発光方向の正面だけでなく側面からもその形態を認識することができる。
【００４７】
結果として、薄膜投光部１２から放出される光は、ＬＥＤ１の正面から遠くまで到達して遠い距離にいる人も容易に認知することができ、かつ、ＬＥＤ正面の直ぐ前での眩しい現象を緩和させて近距離、特に直ぐ前からも目の疲れ無くＬＥＤ１光を認識することができ、厚膜投光部１４から放出される光は、ＬＥＤ１の側面にもＬＥＤ光が放出されてＬＥＤ１の光の進行方向の側面にもその形態を人が容易に認知できるようにして形態性の向上に役立つ。さらに、薄膜投光部１２からの光は明るく、厚膜投光部１４からの光はかすかに照らして、薄膜投光部１２と厚膜投光部１４がバランス良く視覚的に非常に優れた効果を奏している。
【００４８】
厚膜投光部１４の厚みには特に制限は無いが、厚膜投光部は光が側面に放出されるために薄膜投光部１２より１．５〜２０倍の厚みを有することが好ましい。１．５倍以下であると、薄膜投光部と厚膜投光部の明るさに差が無く、２０倍を超えると、外部へ放出される光の量が少な過ぎるという問題がある。
【００４９】
薄膜投光部１２と厚膜投光部１４の位置には特に制限は無いが、薄膜投光部１２からの光が遠距離まで到達するためには、ＬＥＤ１から放出される光の直進性を考えると、ＬＥＤ１光が最も強く放出される方向である前面に形成されることが好ましく、厚膜投光部１４は薄膜投光部１２の周りに設置されることが好ましい。
【００５０】
また、薄膜投光部１２と厚膜投光部１４の数には特に制限は無く、必要に応じて複数を形成することもできる。
【００５１】
投光部１０の全体的な形態には特に制限は無い。図２では四面体を基準として図示したが、必要によっては、三面体、五面体、六面体、半球形などの様々な立体的な形状を有することもできる。
【００５２】
また、薄膜投光部１２と厚膜投光部１４を上から見たときの形態には特に制限は無い。一般に円形を成すが、場合によって、星、三角形、四角形、動物、人、文字などを含む特定の図形或いは文字の形態を有することもできる。この場合に、薄膜投光部１２または厚膜投光部１４に形成されている図形や文字の形態を外部から認識することが可能となる。
【００５３】
薄膜投光部１２は、投光部の厚さが相対的に薄い部分を意味するため、薄膜投光部１２は、先ず投光部を形成し、次に投光部において薄膜投光部１２に該当する部分を陰刻する方式によって具現することができる。また厚膜投光部１４は、投光部の厚さが相対的に厚い部分を意味するため、厚膜投光部１４は、投光部を形成し投光部において厚膜投光部１４に該当する部分を陽刻する方式によって具現することができる。さらに、陽刻と陰刻を適切に組み合わせて薄膜投光部１２と厚膜投光部１４が複数存在するようにすることもできる。
【００５４】
また、ＬＥＤ発光装置の視覚的な効果を強調するために薄膜投光部１２や厚膜投光部１４には色を塗ることもできる。ここで、薄膜投光部１２と厚膜投光部１４は同じ色で塗ることもできるが、互いに異なる色で塗ることもできる。また、薄膜投光部１２と厚膜投光部１４に複数の色を同時に塗ることもできる。さらに、薄膜投光部１２と厚膜投光部１４の外部のみ色を塗ることもできる。また、ＬＥＤと投光部の色を互いに同じ或いは異なるようにして一つのＬＥＤから放出される光を多様に表現することができる。
【００５５】
投光部１０の材質には特に制限は無く、成型が可能で光が透過できる材質であれば良い。一例として、ガラス、プラスチック、シリコン、ラテック、ゴム、ウレタン、レジン、エポキシ樹脂、ポリカーボネートまたはポリマーなどが挙げられる。このうち成型性に優れ、衝撃に強いシリコンが最も好ましい。
【００５６】
さらに薄膜投光部１２或いは厚膜投光部１４は、透明、半透明或いは不透明な材質のうち何れかひとつ以上の組み合わせで様々な表現ができる。
【００５７】
固定部３０は、ＬＥＤ１と投光部１０の底面に位置する部分であって、ＬＥＤアセンブリ１００を安全ベスト２００に取り付け、ＬＥＤを固定させる役割をする部分である。必要に応じては、この部分にＰＣＢ基板が位置したり、ＰＣＢ基板を内部に含む。図面では固定部３０が投光部１０と同じ直径を有するものと図示したが、固定部の直径は必要に応じて投光部と異なることもできる。
【００５８】
固定部の外部にはベースがさらに設けられることもできる。ベースは様々な形態で形成されることができるが、基本的には投光部と密着して結合することができながらも、内部にＬＥＤを収容してＬＥＤを外部の衝撃から保護できる構造を有している。図３は、ベースを備えたＬＥＤアセンブリの断面図で、図４は、投光部が除外された状態でのＬＥＤアセンブリの平面図である。ベース７０は、敷き部７１、側壁７３及び電線連結溝７６を含む。敷き部７１には固定部３０の直径より長い周り７２が形成されている。周りの直径は必要に応じて調節できる。側壁７３は、敷き部７１から上部に突出した部分であり、側壁には投光部が結合する。従って、側壁には投光部との結合のためにねじ溝或いは結合段差のような結合手段が形成されることができる。側壁７３は円筒状を有することが一般であり、側壁７３の内部にはＬＥＤが収容される内部空間が形成されている。
【００５９】
電線連結溝７６は、敷き部７１を貫通する溝であって、この部分に電線（未図示）が連結される。電線連結溝７６は、固定部３０に形成されているＬＥＤ１の陽極と陰極に電線が通ることができる位置に形成されなければならない。固定部３０の陽極と陰極にはそれぞれ垂直方向に連結ねじ３５が結合されているが、連結ねじ３５は、固定部３０を垂直方向に貫通する。電線連結溝７６に挿入された電線は被覆が剥がれない状態で挿入され、上記連結ねじ３５が回転しながら電線連結溝７６に挿入された電線の被覆を貫通してＬＥＤの陽極と陰極はそれぞれ電線に電気的に連結される。
【００６０】
従来には、ＬＥＤとの連結のために電線の被服を除去しなければならなかったため、厄介で、また一度設けられたＬＥＤの位置を変更する場合には、電線をさらに連結し、或いは、電線が余って外見上きれいでは無かったが、本発明におけるベースを用いると、連結が簡単であるだけでなく、ＬＥＤの位置を変える時には、単純に連結ねじを解してＬＥＤの位置を変えた後、再び連結ねじを締めれば終わりであるため、従来のように電線が余ったり足りなくて追加の電線を連結したりする必要が無い。
【００６１】
一方、図５は、他の実施例としてのベースの断面図である。この場合のベース７０の下部には開放された下部開放口７８があり、下部開放口７８はＬＥＤが挿入できる形態である。下部開放口７８が形成されたベース７０の場合には、電線連結溝が設けられない。これを安全ベスト２００に結合させる方法は、安全ベストの挿入孔２０２にベース７０と投光部３０を結合させた後、下部開放口７８を通してＬＥＤを挿入させて結合させる。
【００６２】
ＬＥＤアセンブリ１００を安全ベスト２００に取り付ける方法について、ＬＥＤアセンブリ１００全体が一体型に作られ安全ベスト２００に取り付けられたり、投光部１０とＬＥＤ１が相互分離して作られ安全ベスト２００に挟められることもできる。全体が一体型に作られた場合には、安全ベスト２００にＬＥＤアセンブリ１００が様々な方法にて取り付けられることができる。ここでの取り付け方式については特に制限は無いが、作業工程の利便性などを考えると、高周波取付方式が最も好ましい。さらに、固定部の下部に曲がることのできるワイヤのような固定ピン４０を取り付け、この固定ピン４０を安全ベストの取り付けようとする部分に貫通させた後、この固定ピン４０を曲げて安全ベストに取り付けることもできる。図６は、固定ピンが取り付けられたＬＥＤアセンブリの断面図である。
【００６３】
他の取付方法としては、安全ベストに一定な間隔で複数の挿入孔を開け、上記挿入孔にＬＥＤアセンブリを挟むことである。通常、このような結合方式を後ろ嵌め方式と称す。この場合に、挿入孔の直径が投光部の直径と同じか短くして投光部を挿入孔に挟むと投光部が挿入孔に完全に挟まれた状態になる。
【００６４】
さらに、その結合の強度をさらに強くするために、投光部の下部に凹んだ形態の凹部をさらに形成することもできる。凹部とは、投光部と安全ベストを結合させる機能を有し、凹んだ形態や挟むことのできる溝の形状や支持できる溝を有した形状を称す。図７は、凹部が形成されたＬＥＤアセンブリの断面図である。ＬＥＤアセンブリ１００において投光部１０の下部には凹部９０があり、この部分の側面に安全ベスト２００が結合される。これは、投光部１０が柔らかい材質からなり挿入孔２０２に挟まれる。凹部９０は、図７のように投光部１０の最下部に位置することもできるが、投光部の中間に形成されることもできる。凹部は、安全ベストに挿入固定される。
【００６５】
一方、投光部１０とＬＥＤ１が分離された場合には、図８のように、安全ベストに挿入孔２０２を開け、上記挿入孔２０２の上部に投光部１０を設け、挿入孔２０２の下部にＬＥＤ１部分を下部から上部に挟むように押して投光部１０と結合させれば良い。これを通常、前挟み方式と言い、安全ベストは投光部と固定部との間に固定される。この場合に、ＬＥＤ１と投光部１０は密着して固定される。勿論、逆に、挿入孔２０２の下部にＬＥＤ１を先に挟み、上部に投光部１０を結合させることもできる。また、ベースがある場合には、ベースを挿入孔に挟んで投光部１０と結合するようになる。
【００６６】
この場合の結合の強度を強くするために、ＬＥＤ１の固定部に、支持のための溝やねじを用いた支持方式のための支持台５０をさらに設けることができる。支持台５０は、投光部１０と完全に密着してＬＥＤ１を投光部１０内に完全に固定させ、ＬＥＤ１の揺れによる破損を防ぐための部分である。図９は、支持台がさらに設けられたＬＥＤアセンブリの断面図である。図９のように、支持台５０は、投光部１０の側面に完全に密着する。
【００６７】
電源供給部は、ＬＥＤ発光のための電源を供給する部分であって、これについては、特に制限は無い。一例として、蓄電器、バッテリ、直流電源、ソーラーセル、或いはハイブリッドのうち何れか一つ以上である。好ましくは、移動及び所持の利便性を考えてバッテリを使用する。
【００６８】
一方、本発明における安全ベストに取り付けられるＬＥＤアセンブリは、遠距離及び近距離からの視認性を向上させるために光拡散キャップをさらに取り付けることができる。光拡散キャップは、凸或いは凹状や平らな形態を有することができ、ＬＥＤ光の拡散及び分散を極大化するという効果がある。図１０は、光拡散キャップがさらに形成されたＬＥＤアセンブリの概略図である。光拡散キャップ８０はＬＥＤ１を囲う形態であり、光拡散キャップ８０の下部は固定部３０に結合され、固定部３０の下部からＬＥＤ１の側面に薄い壁を形成して上部に上がり、ＬＥＤ１の上部から凸、凹或いは平らな形態の光拡散用レンズが形成されている形態である。また光拡散キャップ８０は、垂直壁に取り付けられることもでき、この場合には、凸、凹或いは平らな形態の光拡散用レンズが垂直壁に取り付けられた形態となる。ＬＥＤ１から放射された光を光拡散キャップ８０にて１次的にさらに広く分散し、再び光拡散キャップ８０の外部に位置する薄膜投光部と厚膜投光部によって２次的にさらに広く分散される。
【００６９】
本発明におけるＬＥＤアセンブリは、視認性を向上させるため、投光部の上部にポリカーボネート層をさらに取り付けることができる。ポリカーボネートは、光の拡散性が大きく、可視光線の透過率が高いため、非常に落ち着いた感じの光を放出する。投光部を通過しながら１次的に拡散した光は、ポリカーボネートを通過しながら２次的に拡散して落ち着いた感じの光に変わり、全体的に視認性が向上するという効果がある。図１１は、ポリカーボネート層が取り付けられたＬＥＤアセンブリの断面図である。図１１のように、投光部１０の上部にポリカーボネート層８４が取り付けられる。ここで、取り付けられるポリカーボネート層８４の形状には特に制限は無いが、光の拡散のためには、上部が凸レンズの形状を有することが好ましい。ポリカーボネート層８４は、投光部に取り付ける方法には特に制限は無いが、投光部の上部に陰刻をして形成された溝にポリカーボネート層８４を挿入することで簡単に設置することもできる。
【００７０】
本発明におけるＬＥＤアセンブリから放出されるＬＥＤ光を広く拡散させるため、ＬＥＤの上部と対称する投光部の下部には拡散層がさらに取り付けられることもできる。図１２は、拡散層が取り付けられたＬＥＤアセンブリの断面図である。拡散層８６は、光を最大に拡散できる材質からなり、特に、乱反射を引き起こすためにクリスタルを含む光を拡散させることのできる材質で製作することが好ましい。拡散層８６による乱反射によって１次的に拡散された光は、投光部１０を通過しながらさらに拡散して全体的に一つのＬＥＤアセンブリによって照らす範囲が広くなる。拡散層８６は、投光部１０に取り付ける方法には特に制限は無いが、投光部に形成された溝に拡散層８６を挿入することで簡単に設置することもできる。
【００７１】
また、本発明による固定部は、コネクターの形態を有することができる。図１３は、コネクターの形態を有する固定部の断面図である。図１３のように、コネクターの形態を有する固定部は、ＬＥＤ１を容易に取り替えることができる形態である。即ち、固定部にはＬＥＤが分離及び結合できるＬＥＤ連結溝３８が２つ設けられ、ＬＥＤ１の下部の２つの連結部２が結合される。ＬＥＤに問題が生じた場合、投光部１０を開けて単純にＬＥＤ１を引っ張って分離した後、新しいＬＥＤに入れ替えると修理は完了する。即ち、ＬＥＤが破損するなどによって取り替える必要がある場合には、ＬＥＤのみ簡単に取り替えできるという長所がある。
【００７２】
ＬＥＤ１が投光部１０に嵌められる過程で投光部１０のＬＥＤ１が嵌められる部分の空気が、ＬＥＤ１が挿入される際に圧縮して、長時間使用したときにＬＥＤ１が圧縮空気によって押されＬＥＤ１の部分と投光部１０が分離するという問題があった。本発明では、このような問題点を解決すべく、投光部の内部に空気排出手段を形成することができる。
【００７３】
本発明における空気排出手段は、空気排出溝１８またはエンボス１９が挙げられる。図１４は、２つの空気排出溝が形成されたＬＥＤアセンブリの断面図で、図１５は、図１４のＡＡ部分の断面図である。図１４及び図１５のように、投光部１０の内部のＬＥＤ１と接する部分にＬＥＤ１の挿入方向に少なくともひとつ以上の溝が形成されている。空気排出溝１８は、ＬＥＤ１が嵌められる過程で投光部１０の内部の空気を外部へ排出する役割をする。
【００７４】
図１６は、エンボスが形成されたＬＥＤアセンブリの断面図である。また、図１６のように、投光部１０の内部のＬＥＤ１と接する部分に少なくともひとつ以上のエンボスが形成されている。ＬＥＤ１が嵌められる過程で投光部１０の内部の空気は、エンボス１９の間の空間を通じて外部へ排出され、投光部の内部に過度な圧縮空気が形成されることを防ぐ。ここで、空気排出溝１８またはエンボス１９は、ＬＥＤの側面だけでなく、場合によっては支持台の側面に形成することができる。
【００７５】
また、本発明におけるＬＥＤアセンブリは、投光部１０の底面に反射板が形成され、ＬＥＤから放出された光を前方に反射させて視認性をさらに増大させることができる。
【００７６】
本発明における安全ベストは、単なる安全ベストであることもできるが、好ましくは浮力発生手段を備えている。このような浮力発生手段の一例としてチューブ形態の密閉部が挙げられる。密閉部は、安全ベストに形成された少なくともひとつ以上の空気袋の形態であり、上記密閉部には空気が注入される空気注入弁が備えられている。このような密閉部は、安全ベスト着用者の活動を妨げない範囲内で非常時の救命ベストの役割を果たすことができるように形成されることが好ましい。従って、密閉部は安全ベストのベルト或いは肩部に形成されるが、肩部では着用者の胸や背中が互いに接する部分にのみ形成することが好ましい。
【００７７】
図１７は、密閉部が形成されている安全ベスト２００の概略図である。図１７のように、ベルト２１０には密閉部３００が形成され、密閉部３００の外部にはＬＥＤアセンブリ１００が取り付けられている。図１７において、密閉部３００をベルト２１０と肩部２１５の胸と背中部分にのみ形成したが、必要に応じては肩部２１５全体に密閉部３００を形成することもできる。しかし、作業者の作業の利便性を考えると密閉部３００は、図１７のようにベルト２１０或いは肩部２１５の胸と背中部分にのみ形成することが好ましい。また図１７では、密閉部３００が安全ベスト２００の外部に突出しているが、必要に応じては安全ベスト２００において着用者と接する内皮及び内皮に対応する外皮の間の空間に形成して外部には密閉部３００が突出しないようにすることもできる。
【００７８】
本発明による安全ベスト２００を着用した作業者が水に溺れた場合に、密閉部３００から発生した浮力によって比較的に容易に水面上に頭を出して呼吸をすることができる。図２１は、本発明による安全ベストを着用した人が水に溺れた状態を図示した概略図である。密閉部３００は、空気を入れたり抜いたりできる空気注入弁を備えていることが好ましい。従って、非常時には密閉部３００から発生した浮力によって作業者が容易に水面上に上がることができ、また、ＬＥＤアセンブリ１００によって容易に他の人に見つかって救助されることができる。
【００７９】
本発明における密閉部は、空気を抜いた場合には、従来の安全ベストと同様に、厚さの薄い安全ベストの形態を有していなければならないため、密閉部は厚さ方向の中間部分に折り線が形成され、空気を抜くと折り線の部分が折られて密閉部は安全ベストに密着して、密閉部が無い安全ベストの形態を有するようになる。図１８は、密閉部の他の一実施例を図示した図面であって、図１７におけるＡ部分の拡大図である。図１８のように、密閉部３００の側面には折り線３１０があり、この折り線３１０は、密閉部３００内の空気が抜けると折られるため、空気が抜けた密閉部３００は、通常の肩部２１５の形態を有するようになる。また、密閉部３００から空気を抜いた場合に、折り線３１０を中心にして、折り線の前部分と後ろ部分が密着するよう、折り線の前部分と後ろ部分にはベルクロテープのような取り付け手段（未図示）を備えることもできる。
【００８０】
図１９は浮力発生手段の他の実施例であって、収納部が形成された安全ベストの概略図である。安全ベスト２００には収納部４００があるが、収納部４００の内部には収納部４００の形態を有する空気袋が挿入或いは分離することができる。このため、収納部４００には空気袋の出入りのための出入口があり、出入口にはファスナーのような開閉手段４２０が取り付けられている。普段は空気袋無しで使用し、水に溺れる可能性のある場所で作業をする場合には、空気袋を挿入して作業すれば良い。収納部４００も密閉部３００と同様にベルト２１０或いは肩部２１５の胸と背中部分にのみ形成することが好ましい。また図１９では、収納部４００が安全ベスト２００の外部に突出しているが、必要に応じては安全ベスト２００において着用者と接する内皮と内皮に対応する外皮との間の空間に形成して外部には収納部４００が突出しないようにすることもできる。収納部４００にも上記の密閉部のように折り線と取り付け手段を形成することが好ましい。
【００８１】
バッテリ６００は、ＬＥＤアセンブリ１００に電源を供給するためのもので、スイッチ７００は、バッテリ６００とＬＥＤアセンブリ１００との間の電気的な連結を断続するためのものである。バッテリ６００とスイッチ７００は、安全ベスト２００の適当な場所に設ける。
【００８２】
また、本発明による安全ベスト２００は、水中でも使用することができ、バッテリ６００、スイッチ７００、ＬＥＤアセンブリ１００などの電気にかかわる部分は、防水機能を有する製品を使用することが好ましい。
【００８３】
また、本発明による安全ベストは、着用者が海に遭難した場合に容易に救助されるように、救助信号を発生する遭難信号送出信号を取り付けることができる。図２０は、遭難信号送出信号が取り付けられた安全ベストの概略図である。遭難信号送出信号５００は、バッテリ６００から電源が供給されて遭難信号を送出し、救助員は遭難信号受信信号を用いて遭難信号送出信号から送信された信号により遭難者の位置を容易に把握することができる。遭難信号送出信号と遭難信号受信信号は公知の技術をそのまま使用するため詳しい説明は省略する。
【産業上の利用可能性】
【００８４】
本発明による安全ベストは、従来の安全ベストに、特殊に設計されたＬＥＤアセンブリを取り付けることで、容易に壊れないながらも視認性を向上させて、予期せぬ事故を予防することができ、さらに作業者の作業効率を低下させない範囲内で浮力発生手段を備えているため、万が一のときに作業者の生存可能時間を極大化させ、容易に救助されるようにしたことを特徴とする。
【図１】
2012524174.tif 000003
【図２】
2012524174.tif 000004
【図３】
2012524174.tif 000005
【図４】
2012524174.tif 000006
【図５】
2012524174.tif 000007
【図６】
2012524174.tif 000008
【図７】
2012524174.tif 000009
【図８】
2012524174.tif 000010
【図９】
2012524174.tif 000011
【図１０】
2012524174.tif 000012
【図１１】
2012524174.tif 000013
【図１２】
2012524174.tif 000014
【図１３】
2012524174.tif 000015
【図１４】
2012524174.tif 000016
【図１５】
2012524174.tif 000017
【図１６】
2012524174.tif 000018
【図１７】
2012524174.tif 000019
【図１８】
2012524174.tif 000020
【図１９】
2012524174.tif 000021
【図２０】
2012524174.tif 000022
【図２１】
2012524174.tif 000023
【国際調査報告】
2012524174.tif 000024
2012524174.tif 000025
2012524174.tif 000026
2012524174.tif 000027